(57)【要約】  普通紙と塗工紙等のように、紙種の異なる用紙が混在する用紙束を製本して冊子を作成しても、前記冊子を見開いた時に接着箇所が剥がれて塗工紙等が脱落することがない冊子を作成することのできる製本装置を提供する。前記製本装置は、搬送された用紙の端辺に切り欠きを形成する切り欠き形成部と、前記切り欠き形成部を制御する制御部と、前記切り欠き形成部による切り欠きの形成の有無を、用紙毎に選択することができる選択部と、を有し、前記選択部で選択された切り欠きの形成の有無に基づき、前記制御部で前記切り欠き形成部での切り欠きの形成を制御するとともに、前記切り欠きが形成された用紙と形成されない用紙とが混在する用紙を束ねてくるみ製本する。
2010016339.tif 000002
【特許請求の範囲】
【請求項１】
複数枚の用紙から構成される用紙束の背部に接着剤を塗布し、前記用紙束の背部に表紙を貼着して冊子を作製する製本装置であって、
搬送された用紙の端辺に切り欠きを形成する切り欠き形成部と、
前記切り欠き形成部による切り欠きの形成の有無を、用紙毎に選択することができる選択部と、
前記選択部で選択された切り欠きの形成の有無に基づき、前記切り欠き形成部での切り欠きの形成を制御し、前記切り欠きが形成された用紙と前記切り欠きが形成されない用紙とが混在した前記用紙束を形成するように、前記切り欠き形成部を制御する制御部と、を有することを特徴とする製本装置。
【請求項２】
前記用紙束を形成する用紙と前記切り欠き形成部との相対位置を、用紙搬送方向と直交する用紙幅方向に移動させる位置移動部を有し、
前記用紙束を形成する用紙の１枚毎、或いは複数枚毎に、前記切り欠きの切り欠き位置の変更が可能であることを特徴とする請求項１に記載の製本装置。
【請求項３】
前記選択部で、前記切り欠きを形成しないページを選択できることを特徴とする請求項１に記載の製本装置。
【請求項４】
前記用紙に複数の紙種が用いられる時に、前記選択部で、前記切り欠きを形成しない紙種を選択できることを特徴とする請求項１に記載の製本装置。
【請求項５】
前記制御部は、塗工紙に前記切り欠きを形成しないように、前記切り欠き形成部を制御することを特徴とする請求項１に記載の製本装置。
【請求項６】
前記制御部は、Ｚ折りの処理がされる用紙に前記切り欠きを形成しないように、前記切り欠き形成部を制御することを特徴とする請求項１に記載の製本装置。
【請求項７】
前記制御部は、前記切り欠きを形成しない用紙が連続して３枚以上形成されないように、前記切り欠き形成部を制御することを特徴とする請求項１に記載の製本装置。
【請求項８】
前記制御部は、前記切り欠きを形成しない用紙の前後に搬送される、少なくとも所定ページ数の用紙に前記切り欠きを形成するように、前記切り欠き形成部を制御することを特徴とする請求項１に記載の製本装置。
【請求項９】
用紙に対して画像を形成する画像形成装置と、前記画像形成装置により画像が形成された用紙を受け取り、冊子を作製する請求項１乃至８の何れか１項に記載の製本装置と、を有することを特徴とする画像形成システム。
【発明の詳細な説明】
【技術分野】
【０００１】
本発明は、複数枚の用紙から構成される用紙束の背部に接着剤を塗布し、用紙束の背部に表紙を固着させて冊子を作製する製本装置及び前記製本装置を有する画像形成システムに関する。
【背景技術】
【０００２】
最近の電子写真方式等の画像形成装置は、高速性能、多機能、ネットワーク機能等を有し、大容量給紙装置、大容量スタッカを接続することにより、印刷装置としての用途が拡大している。画像形成装置を印刷装置として用いる場合には、印刷物を製本する製本装置を接続することにより、印刷から製本までを１台の装置で行うことが可能となる。【０００３】
前記製本装置として、用紙束収容部、糊（接着剤）塗布部、表紙供給部、表紙折り曲げ部等を垂直方向に縦列配置して小型化した糊付け製本装置が開示されている（例えば、特許文献１参照）。【０００４】
特許文献１に開示された糊付け製本装置は、用紙束収容部に収容されて挟持された用紙束の背部に、接着剤塗布ローラにより接着剤を均一に塗布するものである。接着剤は用紙束の背部のみに塗布されるため、接着面積が少なく、糊付けされた製本の強度が不足する。このため作製された冊子を見開いた時、接着箇所が剥がれて用紙が脱落することがある。【０００５】
これに対し、用紙束の背部に表紙を貼着してくるみ製本処理する製本装置で、前記製本装置の用紙搬送路に、用紙の製本処理時に接着剤が塗布される端辺側に切り欠きを形成する切り欠き形成部を設けた製本装置が開示されている（例えば、特許文献２参照）。
【先行技術文献】
【特許文献】
【０００６】
【特許文献１】特開２００４−２０９８６９号公報
【特許文献２】特開２００７−６２１４５号公報
【発明の概要】
【発明が解決しようとする課題】
【０００７】
特許文献２は、切り欠き形成部で用紙１枚毎に切り欠きを設け、製本後の冊子の強度の向上を図るものである。用いられる用紙が全て普通紙のような場合には、製本された冊子の各ページ（各用紙）を、略同等の引っ張り強度とすることが可能である。【０００８】
しかしながら、前記冊子は、全て普通紙で構成されるとは限らず、例えば普通紙のページ間に、坪量の大きい塗工紙等でできた用紙がインサート用紙として挟み込まれて製本されることがある。前記塗工紙等の坪量が大きい用紙（以下、塗工紙と称す）は、前記普通紙に比べ、一般的に厚く、腰が強い。このため、前記普通紙と同じ引っ張り強度では、作成された冊子を見開いた時、接着箇所が剥がれて塗工紙が脱落することがある。【０００９】
本発明は、上記状況に鑑みなされたもので、普通紙と塗工紙等のように、紙種の異なる用紙が混在する用紙束を製本して冊子を作成しても、前記冊子を見開いた時に接着箇所が剥がれて塗工紙等が脱落することがない冊子を作成することのできる製本装置を提供することを目的とする。
【課題を解決するための手段】
【００１０】
上記目的は、下記の構成により達成される。【００１１】
１．複数枚の用紙から構成される用紙束の背部に接着剤を塗布し、前記用紙束の背部に表紙を貼着して冊子を作製する製本装置であって、搬送された用紙の端辺に切り欠きを形成する切り欠き形成部と、前記切り欠き形成部による切り欠きの形成の有無を、用紙毎に選択することができる選択部と、前記選択部で選択された切り欠きの形成の有無に基づき、前記切り欠き形成部での切り欠きの形成を制御し、前記切り欠きが形成された用紙と前記切り欠きが形成されない用紙とが混在した前記用紙束を形成するように、前記切り欠き形成部を制御する制御部と、を有することを特徴とする製本装置。【００１２】
２．前記用紙束を形成する用紙と前記切り欠き形成部との相対位置を、用紙搬送方向と直交する用紙幅方向に移動させる位置移動部を有し、前記用紙束を形成する用紙の１枚毎、或いは複数枚毎に、前記切り欠きの切り欠き位置の変更が可能であることを特徴とする１に記載の製本装置。【００１３】
３．前記選択部で、前記切り欠きを形成しないページを選択できることを特徴とする１に記載の製本装置。【００１４】
４．前記用紙に複数の紙種が用いられる時に、前記選択部で、前記切り欠きを形成しない紙種を選択できることを特徴とする１に記載の製本装置。【００１５】
５．前記制御部は、塗工紙に前記切り欠きを形成しないように、前記切り欠き形成部を制御することを特徴とする１に記載の製本装置。【００１６】
６．前記制御部は、Ｚ折りの処理がされる用紙に前記切り欠きを形成しないように、前記切り欠き形成部を制御することを特徴とする１に記載の製本装置。【００１７】
７．前記制御部は、前記切り欠きを形成しない用紙が連続して３枚以上形成されないように、前記切り欠き形成部を制御することを特徴とする１に記載の製本装置。【００１８】
８．前記制御部は、前記切り欠きを形成しない用紙の前後に搬送される、少なくとも所定ページ数の用紙に前記切り欠きを形成するように、前記切り欠き形成部を制御することを特徴とする１に記載の製本装置。【００１９】
９．用紙に対して画像を形成する画像形成装置と、前記画像形成装置により画像が形成された用紙を受け取り、冊子を作製する１乃至８の何れか１項に記載の製本装置と、を有することを特徴とする画像形成システム。
【発明の効果】
【００２０】
上記により、製本時に、塗工紙等の特定の用紙の引っ張り強度を増加させることができ、接着箇所が剥がれて用紙が脱落することを防止することができる。
【図面の簡単な説明】
【００２１】
【図１】画像形成装置本体、製本装置、冊子収容装置を備えた画像形成装置の全体構成図である。
【図２】本発明の制御を示すブロック図である。
【図３】本発明に係る製本装置の断面図である。
【図４】用紙束収容部の用紙集積部が傾斜状態に設置された状態の断面図である。
【図５】用紙束収容部の用紙集積部が直立状態に設置された状態の断面図である。
【図６】用紙束収容部、塗布部、表紙供給部、断裁部、冊子形成部の断面図である。
【図７】塗布部と挟持部の斜視図である。
【図８】表紙の折り曲げ工程を示す冊子形成部と用紙束の断面図である。
【図９】用紙束と表紙による冊子の作製過程を示す斜視図である。
【図１０】切り欠き形成部の断面図である。
【図１１】移動部の正面図である。
【図１２】同じ位置に切り欠きを形成した複数枚の用紙束の平面図である。
【図１３】図１２示す切り欠きＶａにより形成される溝の部分図である。
【図１４】用紙毎に切り欠きをシフトして形成し、積層した用紙束の図である。
【図１５】図１４示す切り欠きＶａにより形成される溝の部分図である。
【図１６】切り欠きのシフトの、他の実施形態の制御を示すブロック図である。
【図１７】切り欠きを１方向にシフトした例である。
【図１８】切り欠きを左右方向に折り返しシフトした例である。
【図１９】特定の用紙の、引っ張り強度の増加の形態を示す模式図である。
【図２０】切り欠きを形成しない特定の用紙のページが連続する例である。
【発明を実施するための形態】
【００２２】
本発明に係る製本装置、及び前記製本装置を備えた画像形成システムの実施の形態を、図を参照して説明するが、本発明はこれに限定されるものではない。
【００２３】
図１は画像形成装置Ａ、製本装置Ｂ、冊子収容装置Ｃ、自動原稿送り装置ＤＦを備えた画像形成システムの全体構成図である。
【００２４】
［画像形成装置Ａ］
画像形成装置Ａは、回転する像担持体１の周囲に、帯電部２、像露光部３、現像部４、転写除電部５、及びクリーニング部６を配置した画像形成部を有する。
【００２５】
画像形成部は、帯電部２によって像担持体１の表面に一様帯電を行った後に、像露光部３のレーザビームによって原稿から読み取られた画像データに基づく露光走査を行って潜像を形成し、該潜像を現像部４により反転現像して像担持体１の表面にトナー像を形成する。
【００２６】
用紙収納部７Ａから給紙された用紙Ｓは転写位置へと送られる。転写位置において転写除電部５によりトナー像が用紙Ｓ上に転写された後に、用紙Ｓの表面の電荷が消去されて像担持体１から分離され、搬送部７Ｂにより搬送され、引き続き定着部８により加熱定着され、排紙ローラ７Ｃから排出される。
【００２７】
用紙Ｓの両面に画像形成を行う場合には、定着部８により加熱定着された用紙Ｓを、搬送路切換部７Ｄにより排紙通路から分岐し、反転搬送部７Ｅにおいてスイッチバックして表裏反転した後、再び画像形成部へ搬送して、用紙Ｓの裏面に画像を形成し、定着部８を経て、排紙ローラ７Ｃから装置外に排出される。排紙ローラ７Ｃから排出された用紙Ｓは、製本装置Ｂに送り込まれる。
【００２８】
画像形成後の像担持体１の表面は、クリーニング部６により表面に残留しているトナーが除去され、次の画像形成に備える。
【００２９】
画像形成装置Ａの上部には、入力部及び表示部を備えた操作部９が配置されている。
【００３０】
［製本装置Ｂ］
図１に示すように、本発明に係る製本装置Ｂは、搬送路１０、排紙部２０、反転部３０、用紙束収容部４０、接着剤塗布部５０、表紙供給部６０、断裁部７０、冊子形成部８０、切り欠き形成装置３００等を有するくるみ製本装置である。
【００３１】
なお、本発明の製本装置Ｂは、くるみ製本装置以外に、平綴じ製本装置、中折り中綴じ製本装置、封緘製本装置等にも適用可能である。
【００３２】
図２は、本発明の制御を示すブロック図である。
【００３３】
本発明の制御部は、画像形成装置Ａに設けられた主制御部１００と、製本装置Ｂに設けられた冊子の作製を制御する制御部である後処理制御部２００から構成され、シリアル通信部１０１、２０１により接続されている。主制御部１００の指令により後処理制御部２００にて製本装置Ｂの各部を制御する。後処理制御部２００では冊子を作製するために、後述の各部の駆動を制御する。
【００３４】
即ち、後処理制御部２００は、用紙束を支持する支持部材４１を駆動するためのモータＭ４、切り欠き形成部３００Ａのパンチ３０２を駆動するモータＭ２、用紙Ｓと切り欠き形成部３００Ａとの相対位置を移動させる位置移動部である移動部４００、塗布ローラ５１を駆動するモータＭ１、及び冊子形成部８０、断裁部７０等の駆動を制御する。
【００３５】
図３は、本発明に係る製本装置Ｂの断面図である。
【００３６】
〈搬送路１０〉
製本装置の搬送路１０の搬送路ａに導入された用紙Ｓは、搬送ローラ１１、１２に挟持されて搬送され、搬送路切換部Ｚ１によって排紙部２０と反転部３０の何れかに分岐される。
【００３７】
搬送ローラ１１の用紙搬送方向上流側に配置された搬送路切換部Ｚ２は、画像形成装置Ａから排出される用紙Ｓを搬送路ａと搬送路ｂの何れかに分岐させる。搬送路ｂに搬送される用紙Ｓは、搬送ローラ１４に挟持されて冊子形成部８０に送り込まれる。
【００３８】
〈排紙部２０〉
排紙部２０への排紙が設定されると、搬送路切換部Ｚ１は用紙束収容部４０への搬送路ｃを遮断し、排紙部２０への搬送路ｄを開放する。
【００３９】
排紙部２０への搬送路ｄを通過する用紙Ｓは、搬送ローラ２１に挟持されて上方に搬送され、排紙ローラ２２によって装置最上部の固定排紙トレイ２３上に排出、収容される。本実施の形態では、固定排紙トレイ２３上には、画像形成装置Ａから排出された用紙Ｓを直接受容して、最大約３００枚を積載することができる。
【００４０】
〈切り欠き形成装置３００〉
搬送路切換部Ｚ１によって搬送路ｃに分岐された用紙Ｓは、搬送ローラ３１、３２に挟持されて切り欠き形成装置３００に搬送される。切り欠き形成装置３００は、搬送ローラ３１と搬送ローラ３２との間に配置される。
【００４１】
切り欠き形成装置３００は、切り欠き形成部３００Ａ、用紙搬送方向と直交する用紙幅方向に用紙Ｓと切り欠きの相対位置を移動させる、位置移動部である移動部４００（図１１参照）、及び切り欠かれた用紙屑を収容する屑収容箱３０３等を有する。
【００４２】
図１０は、切り欠き形成部３００Ａの断面図である。
【００４３】
切り欠き形成部３００Ａは、用紙搬送路に設けられたダイ３０１、昇降してダイ３０１に嵌合するパンチ３０２と、パンチ３０２を昇降させる駆動部を有する。
【００４４】
ダイ３０１に対向するパンチ３０２の外周面は、案内部材３０４の内面に昇降可能に嵌合している。パンチ３０２を昇降させる駆動部は、モータＭ２、モータＭ２に接続する小ギヤ３０５、小ギヤ３０５に噛み合う大ギヤ３０６、大ギヤ３０６の一端に係止され揺動回転可能なクランク３０７、クランク３０７とパンチ３０２の上部とを連結する連結部材３０８等の駆動伝達部材を備えている。
【００４５】
モータＭ２の駆動により、小ギヤ３０５、大ギヤ３０６、クランク３０７、連結部材３０８を介してパンチ３０２が昇降駆動される。
【００４６】
パンチ３０２の下降駆動とダイ３０１との嵌合によって、用紙Ｓの後端部に切り欠きが形成される。なお、パンチ３０２を昇降させる駆動は上記の機構に限られるものではなく、一般的に知られている往復動機構を用いることができる。
【００４７】
図１１は、用紙搬送方向と直交する用紙幅方向に用紙Ｓと切り欠きの相対位置を移動させる移動部４００を示す正面図である。図１１に示す例では、移動部４００は、切り欠き形成部３００Ａを製本装置Ｂの背面側から前面側及びその逆方向に移動させることにより、用紙Ｓと切り欠きの相対位置を移動させている。
【００４８】
移動部４００のモータＭ３が駆動されると、ギヤ４０１、４０２、４０３から成るギヤ列を介して送りネジ４０４が回転する。送りネジ４０４には、切り欠き形成部３００Ａに設けられた係合部材（不図示）が係合されていて、送りネジ４０４の回転にともない切り欠き形成部３００Ａが矢印Ｚ方向に移動する。送りネジ４０４及び前記係合部材には、例えばボールネジ等の一般的に知られている直線運動機構を用いることができる。また、ラック・ピニオン、ワイヤー等を用いた一般的に知られている直線運動機構を用いることもできる。
【００４９】
図１１は、パンチ３０２とダイ３０１とを各々１つずつ有する２組の切り欠き形成部３００Ａを備えた例である。なお、切り欠き形成部３００Ａの組数はこれに限定されるものではない。また、図１１に示す例では、１組のパンチ３０２とダイ３０１で１つの切り欠きを形成する構成としたが、１組のパンチ３０２とダイ３０１に複数の切り欠き刃を形成して、１組のパンチ３０２とダイ３０１で複数の切り欠きを形成する構成としてもよい。
【００５０】
画像形成装置Ａから排出された用紙Ｓは、画像形成装置Ａの操作部９において、切り欠き処理が設定されない場合、例えば排紙部２０に排出し積載するような冊子を作製しない場合には、切り欠き形成部３００Ａを無処理のまま通過する。
【００５１】
また、操作部９は、切り欠き形成部３００Ａでのページ毎に切り欠きの有無を選択する選択部の機能を有し、切り欠き処理が設定される場合、例えば冊子を作成する場合においても、切り欠きを形成しないページを選択することを可能としている。操作部９で選択された指令は、主制御部１００を経由して後処理制御部２００に送られ、後処理制御部２００は切り欠き形成部３００Ａを制御する。
【００５２】
操作部９において、切り欠きを形成する切り欠き処理が設定された場合には、製本装置Ｂに導入された用紙Ｓの先端部は、搬送ローラ３１、切り欠き形成部３００Ａの切り欠き形成位置及び搬送ローラ３２を通過し、所定位置に停止する。即ち、搬送ローラ３１、搬送ローラ３２に挟持されて搬送される用紙Ｓの後端部を搬送ローラ３１の上流側に配置されたセンサＰＳが検知した後、例えばパルスカウンターＰＳ２で所定パルスをカウントして図示しない用紙搬送用のモータの駆動を停止させ、用紙Ｓの進行を停止させる。この用紙停止位置において、用紙Ｓの後端部の端辺に切り欠きＶａが形成される。切り欠きＶａの形成は、用紙Ｓの１枚毎、或いは複数枚まとめて行うことができる。
【００５３】
図１２は、同じ位置に切り欠きＶａを形成した複数枚の用紙Ｓ（Ｓ１〜Ｓ１４）を集積した、用紙束Ｓａの例を示す平面図である。図１３は、図１２示す切り欠きＶａにより形成される溝の部分図である。図１３（ａ）は用紙束Ｓａの背部から見た図であり、図１３（ｂ）は用紙束Ｓａの表面から見た図である。各用紙Ｓの切り欠きＶａは重なり、形成される溝は、用紙束Ｓａに直交する方向に形成される。
【００５４】
切り欠きＶａの形成は、切り欠き形成部３００Ａが移動部４００によって図示左側の所定位置に移動され、１枚目の用紙Ｓ１に、パンチ３０２とダイ３０１を有する２組の切り欠き形成部３００Ａにより、２個の切り欠きＶａが形成される。このようにして、順次、用紙Ｓ１〜Ｓ１４に切り欠きＶａが形成される。切り欠きＶａの形状は、図示の半円形、Ｖ字形状、Ｕ字形状等が用いられる。
【００５５】
図１２に示す例では、後述の用紙束Ｓａの背部に接着剤（糊）を塗布する工程において、前記溝に接着剤が集中する。前記接着剤の集中は、冊子にした時に背部に接着剤の痕となり浮いてしまい、外観を損ねることがある。
【００５６】
前記接着剤の痕を減少させるために、切り欠きＶａにより形成される溝を用紙束Ｓａに対し斜め方向に形成し、接着剤の集中を防ぐことが好ましい。
【００５７】
図１４は、切り欠きＶａを用紙毎に移動（以下、シフトともいう）して形成し、切り欠きＶａにより形成される溝を用紙束Ｓａに対し斜め方向になるようにした複数枚の用紙Ｓ（Ｓ１〜Ｓ１４）を集積した、用紙束Ｓａの例を示す平面図である。
【００５８】
図１５は、図１４示す切り欠きＶａにより形成される溝の部分図である。図１５（ａ）は用紙束Ｓａの背部から見た図であり、図１５（ｂ）は用紙束Ｓａの表面から用紙Ｓ１〜Ｓ３の切り欠きＶａを見た図である。
【００５９】
図１４に示す切り欠きＶａの形成は、切り欠き形成部３００Ａが移動部４００によって図示左側の所定位置に移動され、１枚目の用紙Ｓ１に、パンチ３０２とダイ３０１を有する２組の切り欠き形成部３００Ａにより２個の切り欠きＶａが形成される。
【００６０】
次に、切り欠き形成部３００Ａが移動部４００によって図示右側に所定距離（以下、移動量ともいう）Δだけ移動され、２枚目の用紙Ｓ２に、切り欠き形成部３００Ａの２組の穿孔部により２個の切り欠きＶａが穿設される。この例では、所定距離Δは、穴径の一部が重なるような配置に設定している。
【００６１】
以下、同様にして複数枚の用紙Ｓ（Ｓ３〜Ｓ１４）に対して穿孔位置を所定距離Δずつずらした切り欠きＶａが穿設される。所定距離Δは、用紙種類、用紙の枚数、冊子の厚さ等により、製本試作及び従来の製本条件等の仕様に基づき適宜設定される。また、切り欠きＶａのシフトは、１枚毎に限るものではなく、複数枚毎とすることもできる。
【００６２】
図１４に示すように切り欠きＶａを用紙毎にシフトすることにより、切り欠きＶａにより形成される溝が用紙束Ｓａに対し斜め方向に形成されるため、接着剤の集中を防ぐことができる。
【００６３】
また、図１５（ｂ）の斜線部で示すように、切り欠きＶａの近傍の、用紙表面の一部に隣接する用紙と重ならない露出部分ができ、そこに接着剤が付着するため、図１２に示す例よりも用紙束Ｓａの接着強度の向上を図ることができる。
【００６４】
ここで、上述のように用紙Ｓ１の図示左側に２個の切り欠きＶａを形成後、切り欠き形成部３００Ａを図示右側に移動し、図示右側の所定位置に２個の切り欠きＶａ（不図示）を形成することにより、切り欠きＶａを４個とすることができる。なお、切り欠きＶａの個数、形成位置、形成順序等は、上記に限定されるものではない。
【００６５】
また、用紙Ｓと切り欠きの相対位置を移動させる位置移動部の他の実施形態として、図１０において、切り欠き形成部３００Ａの用紙搬送方向下流側の搬送ローラ３２を用紙搬送方向と直交する用紙幅方向にシフトする駆動部を有するシフト搬送部３２Ａ（不図示）を設けてもよい。この場合、シフト搬送部３２Ａは、搬送ローラ３２と共に、把持された用紙Ｓを用紙搬送方向と直交する用紙幅方向に所定距離Δだけシフトさせる。
【００６６】
図１６は、シフト搬送部３２Ａを設けた実施形態の例の制御を示すブロック図である。
【００６７】
この実施形態は、図２の移動部４００の代わりに、搬送ローラ３２を用紙幅方向にシフトさせるシフト搬送部３２Ａを備え、後処理制御部２００内にシフト搬送部３２Ａを制御する制御部を備える。
【００６８】
切り欠き形成部３００Ａにより、１枚目の用紙Ｓ１に切り欠きＶａを形成して搬送した後、２枚目の用紙Ｓ２を搬送して、シフト搬送部３２Ａにより搬送ローラ３２と共に把持された用紙Ｓ２を用紙搬送方向と直交する方向に所定距離Δだけシフトさせた後、切り欠き形成部３００Ａにより、２枚目の用紙Ｓ２に２個の切り欠きＶａを形成する。
【００６９】
更に、他の実施形態として、図１０において、切り欠き形成部３００Ａの近傍に用紙幅方向に整合する規制部材（不図示）を配置し、搬送ローラ３２による用紙挟持を解除した状態で、規制部材により用紙Ｓを用紙幅方向に所定距離Δだけシフトさせた後、切り欠き形成部３００Ａにより、２枚目の用紙Ｓ２に２個の切り欠きＶａを形成することもできる。
【００７０】
前述のように図１４に示す例では、用紙Ｓを積層し用紙束Ｓａにすると、用紙束Ｓａの背部には切り欠きＶａが斜めの溝のように配列される。
【００７１】
図１４に示す例では、切り欠きＶａを１方向（図右方向）にシフトしながら形成しているが、切り欠きＶａを１方向にシフトしながら所定枚数の用紙Ｓに形成した後、後続の用紙Ｓに、切り欠きＶａを逆方向（図左方向）に折り返し、シフトしながら形成することもできる。図１７は１方向（図右方向）に、図１８は切り欠きＶａを図左右方向に折り返し、シフトしながら用紙Ｓに切り欠きＶａを形成し、用紙束Ｓａにした例を示す図である。
【００７２】
ここで、用いられる用紙が全て普通紙のような場合には、図１２或いは図１４に示すように切り欠きＶａを形成して、製本された冊子の各ページ（各用紙）を、略同等の引っ張り強度とすることが可能である。
【００７３】
しかしながら、前述のように、例えば普通紙のページ間に、坪量の大きい塗工紙等でできた用紙がインサート用紙として挟み込まれて製本されることがある。前記塗工紙等の坪量が大きい用紙（以下、塗工紙と称す）は、前記普通紙に比べ、一般的に厚く、腰が強い。このため、前記普通紙と同じ引っ張り強度では、作成された冊子を見開いた時、接着箇所が剥がれて塗工紙が脱落することがある。これに対応するためには、塗工紙等の、特定の用紙の引っ張り強度を増加させる必要がある。
【００７４】
本発明に係る製本装置Ｂでは、切り欠きＶａが形成される用紙に挟み込まれる前記特定の用紙には切り欠きＶａを形成しないで、前記特定の用紙の接着剤が付着する面積を大きくし、前記特定の用紙の引っ張り強度を増加させている。
【００７５】
図１９は、前記引っ張り強度の増加の形態を示す模式図であり、図１９（ａ）は背部より、図１９（ｂ）は表面より見た図である。用紙Ｓ１〜４は切り欠きＶａが形成される、例えば普通紙である。用紙Ｓ１１は、引っ張り強度を増加させる必要がある、例えば塗工紙であり、切り欠きＶａの形成は行われない。
【００７６】
用紙Ｓ１１には切り欠きＶａの形成が行われないため、用紙束Ｓａの背部に接着剤を塗布した時、用紙Ｓ１１の、用紙Ｓ２の切り欠きＶａで囲まれる面Ｓ１１ａ及び用紙Ｓ３の切り欠きＶａで囲まれる面Ｓ１１ｂに接着剤が付着する。このように、用紙Ｓ１１の接着剤が付着する面積が大きくなるため、用紙Ｓ１１の引っ張り強度が増加する。これにより、製本時に特定の用紙の引っ張り強度を増加させることができ、接着箇所が剥がれて用紙が脱落することを防止することができる。
【００７７】
切り欠きＶａを形成しない用紙の選択は、操作部９でページを選択することにより行うことができる。前記ページの選択は、塗工紙等の特定の紙種とは限らず、必要に応じ、普通紙を指定してもよい。例えば、Ｚ折りされる普通紙等、引っ張り強度を増加させたい場合等がある。操作部９で選択された指令は、主制御部１００を経由して後処理制御部２００に送られ、後処理制御部２００は切り欠き形成部３００Ａを制御する。
【００７８】
切り欠きＶａを形成しない用紙の選択は、予め紙種とその紙種のページとを関連付けたデータを主制御部１００或いは後処理制御部２００に設けておき、操作部９で紙種を選択することにより行ってもよい。
【００７９】
ここで、切り欠きＶａの形成をしない用紙Ｓが連続する場合は、引っ張り強度を低下させないために、２ページ以下とすることが好ましい。図２０は、切り欠きＶａの形成をしない用紙Ｓが連続する例を示す図であり、図２０（ａ）は用紙Ｓ１１及びＳ１２の２ページ、図２０（ｂ）は用紙Ｓ１１、Ｓ１２、Ｓ１３の３ページの場合である。
【００８０】
図２０（ａ）では、切り欠きＶａの形成をしない用紙Ｓ１１及びＳ１２の接着剤が付着する面は、用紙Ｓ１１の、用紙Ｓ２の切り欠きＶａで囲まれる面Ｓ１１ａ、用紙Ｓ１２の用紙Ｓ３の切り欠きＶａで囲まれる面Ｓ１２ｂとなる。図１９の場合に対して、接着剤が付着する面は、用紙Ｓ１１、Ｓ１２ともに片面となるが、用紙Ｓ１１、Ｓ１２に切り欠きＶａを形成した場合に比べ、引っ張り強度の向上を図ることができる。
【００８１】
これに対し、図２０（ｂ）では、切り欠きＶａの形成をしない用紙Ｓ１１、Ｓ１２、Ｓ１３のうち、用紙Ｓ１１及びＳ１２に挟まれた用紙Ｓ１３に接着剤の付着する面を作ることができず、用紙Ｓ１３の引っ張り強度を確保することができない。
【００８２】
このように、切り欠きＶａの形成をしない用紙Ｓを連続３ページ以上とすると、切り欠きＶａの形成をしない用紙Ｓに挟まれた用紙Ｓの引っ張り強度の確保が困難になる。
【００８３】
後処理制御部２００は、切り欠きＶａを形成しない用紙Ｓが連続して３ページ以上選択された時は、動作を中断し、警報、表示等で操作者に伝達し、修正を促す。
【００８４】
また、引っ張り強度の面から、特定の用紙以外の用紙（普通紙等）に切り欠きＶａが必要なく、切り欠きＶａの形成が設定されない場合等においても、前記特定の用紙が選択された時は、前記特定の用紙の前後の、普通紙の少なくとも所定のページ数に切り欠きＶａを形成することが好ましい。普通紙の所定のページ数に切り欠きＶａを形成することで、前記特定の用紙の引っ張り強度を増加させることができる。前記所定のページ数は、切り欠きＶａにより形成された溝が、用紙束Ｓａの背部に塗布された接着剤が十分に入り込むことができる空間となるように選定される。前記所定のページ数は、用紙厚さ、切り欠きＶａの寸法、接着剤の流動性等を考慮して、製本試作或いは従来の製本情報等から適宜選定される。これにより、前記特定の用紙の引っ張り強度を増加させることができるとともに、冊子にした時の背部の接着剤の痕を減少させることができる。また、使用する接着剤の量を減少させることができる。
【００８５】
〈反転部３０〉
切り欠き形成部３００で切り欠き処理が行われた用紙Ｓは、搬送ローラ３２，３３，３４に挟持されて反転部３０の所定位置に収容される。反転部３０は、傾斜配置された用紙載置台３５、揺動可能な用紙後端位置決め部材３６、用紙幅方向に用紙Ｓを整合する整合部材３７、搬送ローラ３８等を有する。
【００８６】
〈用紙束収容部４０〉
図４は、用紙束収容部４０の用紙集積部が、傾斜状態に設置された状態の断面図である。
【００８７】
用紙束収容部４０は、支持部材４１、受け板４２、横整合部材４４、押圧部材４５等を有する。
【００８８】
反転部３０の用紙載置台３５上に載置された用紙Ｓは、搬送ローラ３８に挟持され、用紙後端の位置決めを行う位置決め部材３６の揺動により開放された開口から排出され、斜め下方に搬送される。用紙Ｓは用紙束収容部４０内に順次収容され集積される。
【００８９】
用紙束収容部４０は、傾斜した集積面を有する支持部材４１、揺動可能な受け板４２を有し、反転部３０から下降した用紙Ｓは、傾斜した支持部材４１の集積面上を滑落し、用紙Ｓの先端部が受け板４２に当接して停止され、用紙Ｓは傾斜状態で支持される。
【００９０】
縦整合部材４３は支持部材４１の集積面上に載置される用紙Ｓのサイズに対応して、用紙Ｓの後端部を押圧して用紙Ｓの先端部を受け板４２に当接させて用紙Ｓの先端を揃えるための縦整合を行う。
【００９１】
画像形成装置Ａから順次排出される用紙Ｓは、反転部３０においてスイッチバック搬送され、用紙束収容部４０に集積され、縦整合及び後述の横整合が行われ、複数枚の用紙Ｓから成る用紙束Ｓａが形成される。
【００９２】
冊子の設定条件である用紙Ｓのサイズ及び用紙束Ｓａの用紙枚数は、図１に示す画像形成装置Ａの操作部９において設定される。または、画像形成装置Ａに接続されたパーソナルコンピュータ等の外部機器で設定されている。
【００９３】
横整合部材４４は、画像形成から製本処理まで自動で行うオンラインシステムを起動している時には、反転部３０から搬送されて用紙束収容部４０に収容される用紙Ｓの側縁を押圧して用紙幅方向の横整合を行う。
【００９４】
製本処理を単独で行うオフラインシステムが起動された時は、横整合部材４４の通電を解除して、用紙束収容部４０に外部から収容された用紙束の幅方向を、横整合部材４４の手動操作により整合する。
【００９５】
押圧部材４５は、用紙束収容部４０に集積された用紙束Ｓａの厚さ方向を押圧して挟持する。設定された枚数の用紙Ｓが用紙束収容部４０に収容された段階で、押圧部材４５が図示しない駆動部によって作動され、支持部材４１と押圧部材４５とから成る挟持部により用紙束Ｓａを挟持し保持する。
【００９６】
図５は、用紙束収容部４０の用紙集積部が、直立状態に設置された状態の断面図である。
【００９７】
用紙束Ｓａを保持した支持部材４１と押圧部材４５とは、モータＭ４と駆動部４７とによって用紙束収容部４０の軸４６を中心にして回転して、用紙束Ｓａを傾斜状態から直立状態にする。この状態では、塗布部５０が下方に退避して、用紙束Ｓａの下面が塗布部５０の塗布ローラ５１から離間している。
【００９８】
また、支持部材４１と押圧部材４５とが用紙束Ｓａを保持した状態では、受け板４２は図示しない駆動部によって、図示の破線位置から実線位置に回転されて退避する。
【００９９】
〈塗布部５０〉
図６は、用紙束収容部４０、塗布部５０、表紙供給部６０、断裁部７０、冊子形成部８０の断面図である。
【０１００】
塗布部５０は、塗布ローラ５１と、該塗布ローラ５１を回転駆動させる駆動部５２と、糊等の接着剤Ｎを収容する容器５３と、容器５３を支持して製本装置Ｂの背面側の初期位置から前面側の接着剤の塗布位置に移動可能な移動体５４と、移動体５４を往復動させる移動部５５と、容器５３内に収容された接着剤Ｎを加熱する加熱部５６等を有している。
【０１０１】
〈用紙束への接着剤の塗布〉
塗布部５０の移動体５４は、支持部材４１と押圧部材４５とから成る挟持部により直立状態に保持された用紙束Ｓａの下面長手方向に平行する方向に駆動部４７によって移動される。
【０１０２】
移動体５４は製本装置Ｂの背面側の初期位置から移動を開始して、移動部５５に沿って移動され、製本装置Ｂの前面側の所定位置で停止した後、反転駆動され初期位置に復帰する。
【０１０３】
図７は塗布部５０と挟持部の斜視図である。
【０１０４】
モータＭ１及び駆動部５２により、接着剤Ｎを収容した接着剤容器５３に浸漬された塗布ローラ５１が回転される。移動体５４の往動、または往復動により、接着剤塗布ローラ５１は、直立状態に保持された用紙束Ｓａの下面長手方向の背面側Ｒから前面側Ｆに向けて接着剤Ｎを塗布する。
【０１０５】
〈表紙供給部６０〉
図６に示すように、表紙供給部６０の表紙積載部６１内に収容されたカバーシートである表紙Ｋは、給紙部６２により分離、給送され、搬送ローラ６３，６４，６５に挟持されて、冊子形成部８０に搬送される。
【０１０６】
〈断裁部７０〉
表紙供給部６０の図示上方で、後述の冊子形成部８０の図示右方に一体構成された断裁部７０は、回転刃７１と固定刃７２とから成るロータリカッタにより表紙Ｋの搬送方向長さを所定長に断裁する。
【０１０７】
所定長は、用紙Ｓの進行方向の２枚分の長さに用紙束Ｓａの背部の長さを加えた長さである。例えば、Ａ４判サイズの用紙Ｓから成る用紙束Ｓａの背部に表紙Ｋを貼着してくるみ製本処理する場合には、用紙束Ｓａの最大枚数が３００枚で厚さ約３０ｍｍであるとすると、所定長は、Ａ４判用紙の短辺長さ２１０ｍｍの２倍に用紙束Ｓａの厚さ約３０ｍｍを加えた４５０ｍｍに設定して、表紙Ｋの端部を断裁する。表紙Ｋの断裁前の全長は４５０ｍｍ以上のワイドサイズが用いられる。
【０１０８】
Ａ５判サイズ、Ｂ５判サイズ、８．５×１１インチ（１インチは２５．４ｍｍ）サイズの各用紙Ｓをくるみ製本処理して冊子Ｓｂを作製する場合にも、用紙の短辺長さと用紙束厚さにより、所定長が設定される。
【０１０９】
画像形成装置Ａの操作部９または外部機器において、用紙サイズ、用紙枚数、用紙厚さが選択設定されるか、または検出されると、制御部は表紙Ｋの断裁所定長を設定する。表紙Ｋの断裁前の長さは、用紙最大枚数に対応して予め定められ、表紙供給部６０の表紙積載部６１内に収容される。
【０１１０】
〈冊子形成部８０〉
冊子形成部８０は、表紙供給部６０から供給された表紙Ｋを受容して搬送し、所定位置に停止させる搬送ローラ８１，８２、表紙Ｋを用紙束Ｓａの接着剤塗布面に圧接させる加圧部材８３、搬送ローラ８１，８２と加圧部材８３とを支持する移動筐体８４、整合部８５、移動筐体８４を垂直上下方向に移動可能にする昇降部８６等を有する。
【０１１１】
冊子形成部８０と冊子排出ベルト８８とが一体となって昇降部８６により昇降する。
【０１１２】
冊子形成部８０が下降位置に停止して表紙Ｋを導入する時、整合部８５は初期位置から表紙Ｋのサイズに応じて移動して断裁処理前の表紙Ｋの幅方向両側面を押圧して幅整合を行う。幅整合されて曲がりが修正された表紙Ｋは、導入方向と逆方向にスイッチバックされて、断裁部７０に搬送され所定位置において断裁される。
【０１１３】
また、冊子形成部８０が下降位置において断裁後の表紙Ｋを用紙束Ｓａの背部に接着して貼着するのに先だって、整合部８５は再び初期位置から移動して表紙Ｋの幅方向両側面を押圧して幅整合を行い、表紙Ｋを所定位置に停止させる。その後、整合部８５が表紙Ｋと用紙束Ｓａの接合に支障を来さないように初期位置に戻り、続いて冊子形成部８０が上昇する。上昇時には表紙Ｋは所定位置に支持されている。
【０１１４】
したがって、昇降可能な冊子形成部８０に設置された整合部８５は、断裁部７０による表紙Ｋの断裁前後の表紙幅方向の位置決めを行うことにより、表紙の断裁精度の向上と、用紙束Ｓａと表紙Ｋとの位置合わせ精度の向上と、構造の簡易化とが達成される。
【０１１５】
昇降部８６は、左右のベルトを回動させることにより、移動筐体８４を上方位置に移動させる。この上昇位置において、加圧部材８３上に載置された表紙Ｋの中央部は、用紙束Ｓａの接着剤Ｎの塗布面に圧接して接着される。前記圧接により、塗布された接着剤Ｎの一部は、用紙束Ｓａの表裏面の側縁に回り込む。用紙束Ｓａへの接着剤の塗布処理終了後、塗布部５０は後方に移動して退避する。
【０１１６】
〈表紙折り曲げ加工〉
冊子形成部８０の上部には、表紙折り曲げ部が設けられている。表紙折り曲げ部は、左右対称な一対の成型部材８７Ａ、８７Ｂを有する。成型部材８７Ａ、８７Ｂは用紙束Ｓａの厚さ方向に接離可能である。成型部材８７Ａ、８７Ｂは用紙束Ｓａの接着剤の塗布面の側縁に沿って表紙Ｋを折り曲げ、用紙束Ｓａの表裏面に表表紙と裏表紙を重ね合わせ挟持する。
【０１１７】
表紙Ｋの折り曲げ工程の終了後、昇降部８６の下降駆動によって冊子形成部８０が所定量下降して退避して停止する。その後、挟持部による挟持が解除されると、冊子Ｓｂは落下し、冊子Ｓｂの下面の背部が冊子排出ベルト８８の上面に当接して載置されて排出される。
【０１１８】
図８は、表紙Ｋの折り曲げ工程を示す冊子形成部８０と用紙束Ｓａの断面図であり、図８（ａ）は表紙折り曲げ開始時、図８（ｂ）は表紙折り曲げ中間時、図８（ｃ）は表紙折り曲げ終了時、図８（ｄ）は表紙折り曲げ加圧解除時をそれぞれ示す。
【０１１９】
図９は、用紙束Ｓａと表紙Ｋによる冊子Ｓｂの作製過程を示す斜視図である。図９（ａ）は表紙の貼着処理以前の状態の表紙Ｋと用紙束Ｓａの斜視図、図９（ｂ）は表紙Ｋを貼付した用紙束Ｓａの斜視図、図９（ｃ）は用紙束Ｓａに表紙Ｋをくるみ折りして作製される冊子Ｓｂの斜視図である。
【０１２０】
加圧部材８３上に載置された表紙Ｋの中央部を、用紙束Ｓａの接着剤Ｎの塗布面に圧接して接着する際に、表紙Ｋで接着剤Ｎを用紙束Ｓａ側に押し込むようにすると接着剤Ｎを切り欠きＶａに確実に進入させることができる。
【０１２１】
接着剤Ｎを塗布した用紙束Ｓａに表紙Ｋを接着したのち、図８に示す冊子形成部８０の上昇状態において、成型部材８７Ａ、８７Ｂが図示しない駆動部によって駆動される。表紙Ｋは成型部材８７Ａ、８７Ｂに挟持されて、用紙束Ｓａの接着剤Ｎの塗布面の側縁部から変形される（図８（ｂ）参照）。
【０１２２】
その後、成型部材８７Ａ、８７Ｂは、用紙束Ｓａの接着剤Ｎの塗布面側へ向かって水平方向に移動して、表紙Ｋを用紙束Ｓａの両側面に所定時間、押圧・挟持して整形し、冊子Ｓｂを形成する。
【０１２３】
冊子Ｓｂは、図１に示すように、押圧部材４５の開放によって、挟持が解除されて落下し、排出ベルト８８の上面に載置されて冊子排出口８９の方向に排出されて、装置外の冊子収容装置Ｃに排出される。
【０１２４】
排出された冊子Ｓｂは、冊子収容装置Ｃの昇降可能な搬送ベルト９１上に載置され、搬送ベルト９１の回動によって順次排出され、排紙台９２上に積載収容される。
【符号の説明】
【０１２５】
５０  塗布部
５１  塗布ローラ
７０  断裁部
８０  冊子形成部
１００  主制御部
２００  後処理制御部
３００  切り欠き形成装置
３００Ａ  切り欠き形成部
３００Ｂ  第２切り欠き形成部
３０１  ダイ
３０２  パンチ
３０９  回転軸
３２Ａ  シフト搬送部
４００  移動部
Ａ  画像形成装置
Ｂ  製本装置
Ｋ  表紙
Ｍ１、Ｍ２、Ｍ３、Ｍ４  モータ
Ｎ  接着剤
ＰＳ  センサ
Ｓ  用紙
Ｓａ  用紙束
Ｖａ  切り欠き
Δ  所定距離
【図１】
2010016339.tif 000003
【図２】
2010016339.tif 000004
【図３】
2010016339.tif 000005
【図４】
2010016339.tif 000006
【図５】
2010016339.tif 000007
【図６】
2010016339.tif 000008
【図７】
2010016339.tif 000009
【図８】
2010016339.tif 000010
【図９】
2010016339.tif 000011
【図１０】
2010016339.tif 000012
【図１１】
2010016339.tif 000013
【図１２】
2010016339.tif 000014
【図１３】
2010016339.tif 000015
【図１４】
2010016339.tif 000016
【図１５】
2010016339.tif 000017
【図１６】
2010016339.tif 000018
【図１７】
2010016339.tif 000019
【図１８】
2010016339.tif 000020
【図１９】
2010016339.tif 000021
【図２０】
2010016339.tif 000022
【国際調査報告】
2010016339.tif 000023
2010016339.tif 000024
2010016339.tif 000025
2010016339.tif 000026